(57)【特許請求の範囲】
【請求項１】
表面側に複数のキースイッチを有するとともに、裏面側に呼出音を発するスピーカ音孔を有した携帯電話機本体と、
前記携帯電話機本体の前記表面側と前記裏面側との間で回動自在とされ、
前記複数のキースイッチを覆うフリップ板と、
前記携帯電話機本体に対し前記フリップ板を回動自在に支持するヒンジ部と
を備え、
前記フリップ板は、前記携帯電話機本体の裏面側に回動したとき、前記裏面側との間に所定の隙間を有して位置決めされることを特徴とするフリップ板を備えた携帯電話機。
【請求項２】
前記フリップ板が前記携帯電話機本体の裏面側に回動したとき前記フリップ板の前記携帯電話機本体の裏面側と対向する面側には、前記裏面側またはヒンジ部に当接して前記所定の隙間を形成するフリップ固定リブが設けられていることを特徴とする請求項１に記載のフリップ板を備えた携帯電話機。
【請求項３】
前記ヒンジ部は、前記携帯電話機本体の側端部に設けられており、前記フリップ板を前記携帯電話機本体の長手方向に対して直交する方向に回動支持することを特徴とする請求項１に記載のフリップ板を備えた携帯電話機。
【請求項４】
前記ヒンジ部は、前記携帯電話機本体の下端部側に設けられており、前記フリップ板を前記携帯電話機本体の長手方向に沿って回動支持することを特徴とする請求項１に記載のフリップ板を備えた携帯電話機。
【請求項５】
前記ヒンジ部は、
前記フリップ板の端部を回動自在に連結するフリップ連結部と、
前記携帯電話機本体
に対して固定されるヒンジ部保持部と、
前記ヒンジ部保持部に対し回動自在に連結されるヒンジ部連結部とを備え、
前記ヒンジ部連結部と前記フリップ連結部とは接続部によって接続されていることを特徴とする請求項３又は４に記載のフリップ板を備え
た携帯電話機。
【請求項６】
前記ヒンジ部連結部は、円柱状の中空部を有し、内面に前記ヒンジ部の回動位置を規制するための第１及び第２の凹部が１８０度の間隔で設けられているとともに、前記ヒンジ部保持部側に固定され、さらにスプリングによって前記内面に向けて付勢されている硬球を有したヒンジ部連結部材が挿通されており、
前記硬球が前記第１又は第２の凹部に嵌込むことで、前記ヒンジ部の回動位置が規制されることを特徴とする請求項５に記載のフリップ板を備えた携帯電話機。
【請求項７】
前記ヒンジ部連結部は、円柱状の中空部を有し、内面に前記ヒンジ部の回動位置を規制するための第３、第４及び第５の凹部が所定の間隔で設けられているとともに、前記ヒンジ部保持部側に固定され、さらにスプリングによって前記内面に向けて付勢されている硬球を有したヒンジ部連結部材が挿通されており、
前記硬球が前記第３、第４及び第５の凹部に嵌込むことで、前記ヒンジ部の回動位置が規制され、
前記フリップ連結部は、円柱状の中空部を有し、内面には、前記フリップ板の回動位置を規制するための第６、第７及び第８の凹部が所定の間隔で設けられているとともに、前記フリップ板の端部側に固定され、さらにスプリングによって前記内面に向けて付勢されている硬球を有したフリップ連結部材が挿通されており、
前記硬球が前記第６、第７又は第８の凹部に嵌込むことで、前記フリップ板の回動位置が規制されることを特徴とする請求項５に記載のフリップ板を備えた携帯電話機。
【請求項８】
表面側に複数のキースイッチを有するとともに、裏面側に呼出音を発するスピーカ音孔を有した携帯電話機本体の前記複数のキースイッチを、前記表面側と裏面側との間で回動自在とされるフリップ板により覆う第１の工程と、
前記フリップ板の回動をヒンジ部によって行わせる第２の工程と、
前記フリップ板が前記携帯電話機本体の裏面側に回動したとき、前記裏面側との間に所定の隙間を有して前記フリップ板を位置決めする第３の工程と
を備えることを特徴とするフリップ板の開閉方法。
【請求項９】
前記第３の工程には、前記フリップ板の位置決めを、前記フリップ板が前記携帯電話機本体の裏面側に回動したとき前記フリップ板の前記携帯電話機本体の裏面側と対向する面側に設けたフリップ固定リブによって行う第４の工程が含まれることを特徴とする請求項８に記載のフリップ板の開閉方法。
【請求項１０】
前記第１及び第２の工程には、前記ヒンジ部を、前記携帯電話機本体の側端部に設け、前記フリップ板を前記携帯電話機本体の長手方向に対して直交する方向に回動させる第５の工程が含まれることを特徴とする請求項８に記載のフリップ板の開閉方法。
【請求項１１】
前記第１及び第２の工程には、前記ヒンジ部を、前記携帯電話機本体の下端部側に設け、前記フリップ板を前記携帯電話機本体の長手方向に沿って回動させる第６の工程が含まれることを特徴とする請求項８に記載のフリップ板の開閉方法。
【請求項１２】
第５及び第６の工程には、
前記フリップ板の端部をフリップ連結部によって回動自在に連結する第７の工程と、
前記携帯電話機本体に対しヒンジ部保持部を固定する第８の工程と、
前記ヒンジ部保持部に対しヒンジ部連結部を回動自在に連結する第９の工程とが含まれ、前記ヒンジ部連結部と前記フリップ連結部とは接続部によって接続されていることを特徴とする請求項１０又は１１に記載のフリップ板の開閉方法。
【請求項１３】
前記第９の工程には、
前記ヒンジ部連結部に円柱状の中空部を構成し、内面に前記ヒンジ部の回動位置を規制するための第１及び第２の凹部を１８０度の間隔で設ける第１０の工程と、
前記ヒンジ部連結部の内部に、前記ヒンジ部保持部側に固定され、さらにスプリングによって前記内面に向けて付勢されている硬球を有したヒンジ部連結部材を挿通させる第１１の工程と、
前記硬球が前記第１又は第２の凹部に嵌込むことで、前記ヒンジ部の回動位置を規制する第１２の工程と
が含まれることを特徴とする請求項１２に記載のフリップ板の開閉方法。
【請求項１４】
前記第９の工程には、
前記ヒンジ部連結部に円柱状の中空部を構成し、内面に前記ヒンジ部の回動位置を規制するための第３、第４及び第５の凹部を所定の間隔で設ける第１３の工程と、
前記ヒンジ部連結部に円柱状の中空部を構成し、内面に、前記ヒンジ部保持部側に固定され、さらにスプリングによって外方向に付勢されている硬球を有したヒンジ部連結部材を挿通させる第１４の工程と、
前記硬球が前記第３、第４及び第５の凹部に嵌込むことで、前記ヒンジ部の回動位置を規制する第１５の工程と
が含まれ、
前記第７の工程には、
前記フリップ連結部に円柱状の中空部を構成し、内面に、前記フリップ板の回動位置を規制するための第６、第７及び第８の凹部を所定の間隔で設ける第１６の工程と、
前記フリップ連結部の内部に、前記フリップ板の端部側に固定され、さらにスプリングによって前記内面に向けて付勢されている硬球を有したフリップ連結部材を挿通させる第１７の工程と、
前記硬球が前記第６、第７又は第８の凹部に嵌込むことで、前記フリップ板の回動位置を規制する第１８の工程と
が含まれることを特徴とする請求項１２に記載のフリップ板の開閉方法。
【発明の詳細な説明】
【０００１】
【発明の属する技術分野】
本発明は、携帯電話機を机上等に置いた状態でのスピーカ音孔からの呼出音の音圧劣化の抑制に適したフリップ板を備えた携帯電話機及びフリップ板の開閉方法に関する。
【０００２】
【従来の技術】
従来の携帯電話機の着信音は、マグネチックサウンダ（ブザー）から鳴動される単一トーンが主流であったが、近年では着信音を歌謡曲等のメロディーで鳴動することが主流となってきている。
【０００３】
着信音がメロディーになると、歪みの少ないきれいな音質が求められるようになり、高調波成分を多く含むマグネチックサウンダからダイナミックスピーカへとデバイスが変更されるようになった。
【０００４】
【発明が解決しようとする課題】
しかしながら、上述したダイナミックスピーカは、制御基板等に搭載されるサウンダと比較すると非常に大きいことから、携帯電話機本体の裏面側に実装せざるを得ない。このため、携帯電話機本体に設けるスピーカの音孔は携帯電話機本体の裏面側となる。この場合、携帯電話機を机上等に置いたとき、スピーカの音孔が机等によって閉塞されるため、着信音圧の劣化が生じてしまうという不具合がある。
【０００５】
本発明は、このような状況に鑑みてなされたものであり、着信音圧の劣化を防止することができるフリップ板を備えた携帯電話機及びフリップ板の開閉方法を提供することができるようにするものである。
【０００６】
【課題を解決するための手段】
請求項１に記載のフリップ板を備えた携帯電話機は、表面側に複数のキースイッチを有するとともに、裏面側に呼出音を発するスピーカ音孔を有した携帯電話機本体と、携帯電話機本体の表面側と裏面側との間で回動自在とされ、前記携帯電話機本体の前記複数のキースイッチを覆うフリップ板と、携帯電話機本体に対しフリップ板を回動自在に支持するヒンジ部とを備え、フリップ板は、携帯電話機本体の裏面側に回動したとき、裏面側との間に所定の隙間を有して位置決めされることを特徴とする。
また、前記フリップ板が前記携帯電話機本体の裏面側に回動したときフリップ板の携帯電話機本体の裏面側と対向する面側には、裏面側またはヒンジ部に当接して所定の隙間を形成するフリップ固定リブが設けられているようにすることができる。
また、ヒンジ部は、携帯電話機本体の側端部に設けられており、フリップ板を携帯電話機本体の長手方向に対して直交する方向に回動支持するようにすることができる。
また、ヒンジ部は、携帯電話機本体の下端部側に設けられており、フリップ板を携帯電話機本体の長手方向に沿って回動支持するようにすることができる。
また、ヒンジ部は、フリップ板の端部を回動自在に連結するフリップ連結部と、携帯電話機本体に対して固定されるヒンジ部保持部と、ヒンジ部保持部に対し回動自在に連結されるヒンジ部連結部とを備え、前記ヒンジ部連結部と前記フリップ連結部とは接続部によって接続されるようにすることができる。
また、前記ヒンジ部連結部は、円柱状の中空部を有し、内面にヒンジ部の回動位置を規制するための第１及び第２の凹部が１８０度の間隔で設けられているとともに、ヒンジ部保持部側に固定され、さらにスプリングによって前記内面に向けて付勢されている硬球を有したヒンジ部連結部材が挿通されており、硬球が第１又は第２の凹部に嵌込むことで、ヒンジ部の回動位置が規制されるようにすることができる。
また、ヒンジ部連結部の内面には、ヒンジ部の回動位置を規制するための第３、第４及び第５の凹部が所定の間隔で設けられているとともに、ヒンジ部保持部側に固定され、さらにスプリングによって外方向に付勢されている硬球を有したヒンジ部連結部材が挿通されており、硬球が第３、第４及び第５の凹部に嵌込むことで、ヒンジ部の回動位置が規制され、フリップ連結部は、円柱状の中空部を有し、内面には、フリップ板の回動位置を規制するための第６、第７及び第８の凹部が所定の間隔で設けられているとともに、フリップ板の端部側に固定され、さらにスプリングによって前記内面に向けて付勢されている硬球を有したフリップ連結部材が挿通されており、硬球が第６、第７又は第８の凹部に嵌込むことで、フリップ板の回動位置が規制されるようにすることができる。
請求項８に記載のフリップ板の開閉方法は、表面側に複数のキースイッチを有するとともに、裏面側に呼出音を発するスピーカ音孔を有した携帯電話機本体の複数のキースイッチを、表面側と裏面側との間で回動自在とされるフリップ板により覆う第１の工程と、フリップ板の回動をヒンジ部によって行わせる第２の工程と、フリップ板が携帯電話機本体の裏面側に回動したとき、裏面側との間に所定の隙間を有してフリップ板を位置決めする第３の工程とを備えることを特徴とする。
また、第３の工程には、フリップ板の位置決めを、前記フリップ板が前記携帯電話機本体の裏面側に回動したときフリップ板の携帯電話機本体の裏面側と対向する面側に設けたフリップ固定リブによって行う第４の工程が含まれるようにすることができる。
また、第１及び第２の工程には、ヒンジ部を、携帯電話機本体の側端部に設け、フリップ板を携帯電話機本体の長手方向に対して直交する方向に回動させる第５の工程が含まれるようにすることができる。
また、第１及び第２の工程には、ヒンジ部を、携帯電話機本体の下端部側に設け、フリップ板を携帯電話機本体の長手方向に沿って回動させる第６の工程が含まれるようにすることができる。
また、第５及び第６の工程には、フリップ板の端部をフリップ連結部によって回動自在に連結する第７の工程と、携帯電話機本体に対しヒンジ部保持部を固定する第８の工程と、ヒンジ部保持部に対しヒンジ部連結部を回動自在に連結する第９の工程とが含まれ、前記ヒンジ部連結部と前記フリップ連結部とは接続部によって接続されるようにすることができる。
また、第９の工程には、前記ヒンジ部連結部に円柱状の中空部を構成し、内面に、ヒンジ部の回動位置を規制するための第１及び第２の凹部を１８０度の間隔で設ける第１０の工程と、ヒンジ部連結部の内部に、ヒンジ部保持部側に固定され、さらにスプリングによって前記内面に向けて付勢されている硬球を有したヒンジ部連結部材を挿通させる第１１の工程と、硬球が第１又は第２の凹部に嵌込むことで、ヒンジ部の回動位置を規制する第１２の工程とが含まれるようにすることができる。
また、第９の工程には、ヒンジ部連結部の内面に、ヒンジ部の回動位置を規制するための第３、第４及び第５の凹部を所定の間隔で設ける第１３の工程と、ヒンジ部連結部の内面に、ヒンジ部保持部側に固定され、さらにスプリングによって外方向に付勢されている硬球を有したヒンジ部連結部材を挿通させる第１４の工程と、硬球が第３、第４及び第５の凹部に嵌込むことで、ヒンジ部の回動位置を規制する第１５の工程とが含まれ、第７の工程には、フリップ連結部に円柱状の中空部を構成し、内面に、フリップ板の回動位置を規制するための第６、第７及び第８の凹部を所定の間隔で設ける第１６の工程と、フリップ連結部の内部に、フリップ板の端部側に固定され、さらにスプリングによって内面に向けて付勢されている硬球を有したフリップ連結部材を挿通させる第１７の工程と、硬球が第６、第７又は第８の凹部に嵌込むことで、フリップ板の回動位置を規制する第１８の工程とが含まれるようにすることができる。
本発明に係るフリップ板を備えた携帯電話機及びフリップ板の開閉方法においては、裏面側に呼出音を発するスピーカ音孔を有した携帯電話機本体の表面側の複数のキースイッチを覆うフリップ板をヒンジ部を介して回動自在に支持するとともに、フリップ板が携帯電話機本体の裏面側に回動したとき、裏面側との間に所定の隙間を有して位置決めされるようにすることで、スピーカ音孔を閉塞しないようにする。
【０００７】
【発明の実施の形態】
以下、本発明の実施の形態について説明する。
【０００８】
（第１の実施の形態）
図１は、本発明の携帯電話機のフリップ装置の第１の実施の形態を示す斜視図、図２は、図１の携帯電話機の裏面側を示す斜視図、図３は、図１のフリップ板を開いた状態を示す斜視図、図４は、図１のフリップ板を示す側面図、図５は、図４のフリップ板を示す側面図、図６は、図４のフリップ板を裏面側に移動させた状態を示す斜視図、図７は、図６の携帯電話機の裏面側を示す斜視図、図８は、図７の携帯電話機を示す図、図９〜図１２は、図１のフリップ板及びヒンジ部の詳細を示す図、図１３〜図１７は、図４のヒンジ部の詳細を説明するための図、図１８〜図２１は、図１５のヒンジ部連結部材を示す図、図２２〜図２４は、図１５のフリップ連結部材を示す図である。
【０００９】
図１に示す携帯電話機の携帯電話機本体１の頂部には、アンテナ１７ａが設けられている。携帯電話機本体１の表面側には、受話用音孔１３、表示部１５、フリップ板２６、マイク音孔１２が設けられている。
【００１０】
フリップ板２６は、フリップ固定部２１を介しヒンジ部３に対して回動自在に支持されている。ヒンジ部３は、携帯電話機本体１に対して回動自在に支持されている。また、ヒンジ部３は、携帯電話機本体１の側端部に設けられている。これにより、フリップ板２６は、携帯電話機本体１の長手方向に対し直交する方向に回動する。これらフリップ固定部２１及びヒンジ部３の詳細は、後述する。
【００１１】
携帯電話機本体１の裏面側には、図２に示すように、スピーカ音孔１１が設けられている。このスピーカ音孔１１は、内部の図示しないスピーカの鳴動によって発せられる呼出音（トーン、メロディー）を放音するためのものである。
【００１２】
また、携帯電話機本体１の表面側には、図３に示すように、複数のキースイッチ１４が設けられている。これらキースイッチ１４は、図１に示すように、フリップ板２６によって覆われるようになっている。
【００１３】
フリップ板２６には、図４及び図５に示すように、フリップ固定リブ２２及びフック２４が設けられている。フリップ固定リブ２２は、図６，図７及び図３１に示すように、フリップ板２６を携帯電話機本体１の裏面側に移動させたとき、その裏面側に当接してフリップ板２６とその裏面側との間に所定の隙間Ａを形成するものである。これにより、フリップ板２６を携帯電話機本体１の裏面側に移動させても図２に示したスピーカ音孔１１がフリップ板２６によって閉塞されないようになっている。なお、図８に示すようにフリップ固定リブ２２はヒンジ部に当接するものであってもよい。
【００１４】
フック２４は、図１のように、携帯電話機本体１の表面側に移動させたフリップ板２６を携帯電話機本体１に固定するためのものであり、図３のフック固定部１７に係合される。
【００１５】
また、フリップ板２６のフリップ固定リブ２２が設けられている側には、ヒンジ部３が連結されている。ヒンジ部３には、ヒンジ部連結部３ｂ及びフリップ連結部３ａが設けられており、ヒンジ部連結部３ｂとフリップ連結部３ａは接続部３ｃによって接続されている。
【００１６】
フリップ板２６のフリップ固定部２１は、図９〜図１２に示すように、ヒンジ部３のフリップ連結部３ａに回動自在に連結されている。また、ヒンジ部３のヒンジ部連結部３ｂは、ヒンジ部保持部５を介して携帯電話機本体１側に回動自在に連結される。すなわち、ヒンジ部保持部５が携帯電話機本体１側に固定されている。
【００１７】
ヒンジ部連結部３ｂの内部３３ｂには、図１３〜図１７に示すように、回動連結部材
６の硬球保持部６３の硬球６４を嵌合するための第１及び第２の凹部としての凹部３１ａ及び３１ｂがヒンジ部３の中心軸上（１８０度の間隔）に設けられている。硬球６４は、鉄等の金属又は樹脂等の硬質材料を用いることができる。硬球６４は、図２０及び図２１に示すように、硬球保持部６３の中心に向けて設けられた穴６６内に遊挿されているとともに、スプリング６５によって外方向に付勢されている。
【００１８】
回動連結部材６の中空軸部６２は、図１５に示すように、ヒンジ部連結部３ｂ及びヒンジ部保持部５の貫通穴３５，５２に挿通されている。中空軸部６２の先端には、図１８及び図１９に示すテーパ形状の抜け防止部６１が設けられている。抜け防止部６１には、複数のスリット６７が設けられている。これらのスリット６７は、ヒンジ部保持部５の内壁に設けられたヒンジ部固定リブ５１ａ，５１ｂに嵌合されることにより、回動が制限されるようになっている。よって、回動連結部材６は、ヒンジ部保持部５側に固定されることになる。
【００１９】
フリップ連結部３ａ及びフリップ固定部２１の貫通穴３４，２５には、図２２〜図２４に示す中空軸部７２の両端に抜け防止部７１，７３を有したフリップ連結部材７が挿通されている。抜け防止部７１，７３は、貫通穴３４，２５の径より大きくされている。抜け防止部７１は、テーパ形状とされているとともに、複数のスリット７４が設けられている。これらのスリット７４は、外力が加えられると、その隙間が狭くなる。これにより、抜け防止部７１の径が小さくなる。これに対し、外力が無くなるとスリット７４の形状が復帰する。
【００２０】
また、ヒンジ部連結部３ｂ及びフリップ連結部３ａの内部３３ａには、図１４及び図１５に示すように、キャップＡ，Ｂを嵌合固定するためのリング状の固定用リブ３２Ａ，３２Ｂが設けられている。
【００２１】
次に、このような構成の携帯電話機のフリップ装置の動作について説明する。
【００２２】
まず、通常の待受け状態では、たとえば図１に示したように、フリップ板２６を携帯電話機本体１の表面側に移動させておく。このとき、フリップ板２６のフック２４が図３に示した携帯電話機本体１のフック固定部１７に係合される。これにより、キースイッチ１４がフリップ板２６によって覆われるようになっているため、キースイッチ１４の誤操作が防止される。
【００２３】
キースイッチ１４を操作する場合、たとえば図６に示したように、フリップ板２６を携帯電話機本体１の裏面側に移動させる。このとき、フリップ板２６は、ヒンジ部３とともに回動し、たとえば図６及び図７のように、携帯電話機本体１の裏面側に移動する。またこのとき、フリップ板２６は、ヒンジ部３に対して２７０度回動した状態を保持する。
【００２４】
さらにこのとき、たとえば図６，図７及び図３１に示したように、フリップ板２６のフリップ固定リブ２２が携帯電話機本体１の裏面側に当接してフリップ板２６とその裏面側との間に所定の隙間Ａを形成する。これにより、フリップ板２６を携帯電話機本体１の裏面側に移動させても図２に示したスピーカ音孔１１がフリップ板２６によって閉塞されない。
【００２５】
この隙間Ａが形成されることにより、携帯電話機本体１を机上等に置いた場合でも、スピーカ音孔１１と机上との間に隙間が形成されるため、呼出音の音圧劣化が抑制される。ここで、隙間Ａは、１ｍｍ程度あれば十分な効果を有することが確認されている。
【００２６】
次に、フリップ板２６の取付け方法について説明する。
【００２７】
まず、たとえば図１４及び図１５に示したように、フリップ連結部３ａ及びフリップ固定部２１の貫通穴３４，２５に、フリップ連結部材７の中空軸部７２を挿通する。ここで、これら貫通穴３４，２５の径は、中空軸部７２の径より約０．６ｍｍ程度大きくすることができる。
【００２８】
この場合、抜け防止部７１をフリップ連結部３ａの貫通穴３４からフリップ固定部２１の貫通穴２５に押込む。このとき、抜け防止部７１に設けられている複数のスリット７４の隙間が狭められることで、抜け防止部７１の挿入が容易となる。抜け防止部７１がフリップ固定部２１の貫通穴２５を通過すると、スリット７４の形状が復帰するため、抜け防止部７１がフリップ固定部２１の内壁に係合される。また、抜け防止部７３がフリップ連結部３ａの内壁に係合される。これにより、フリップ連結部材７の抜けが防止される。
【００２９】
次に、キャップＡをフリップ連結部３ａの側端開口部に押込み、リング状の固定用リブ３２Ａに係合させる。これにより、フリップ連結部３ａの内部３３ａが閉塞される。
【００３０】
次に、回動連結部材６をヒンジ部連結部３ｂの内部３３ｂに挿通する。この場合、抜け防止部６１を、ヒンジ部連結部３ｂの貫通穴３５からヒンジ部保持部５の貫通穴５２に押込む。このとき、抜け防止部６１に設けられている複数のスリット６７の隙間が狭められることで、抜け防止部６１の挿入が容易となる。抜け防止部６１がヒンジ部保持部５の貫通穴５２を通過すると、スリット６７の形状が復帰するため、抜け防止部６１がヒンジ部保持部５の内壁に係合される。
【００３１】
また、硬球保持部６３の硬球６４がヒンジ部３の中心軸上に設けられている凹部３１ａ又は３１ｂに嵌込む。このとき、硬球６４は、スプリング６５によって凹部３１ａ又は３１ｂに押付けられる。また、ヒンジ部３が回動するとき、たとえば凹部３１ａに嵌込んでいた硬球６４が凹部３１ｂ側に嵌込む。
【００３２】
これにより、図１に示したフリップ板２６の閉塞位置と、図６に示したフリップ板２６の開放位置とのそれぞれの位置決めがなされる。
【００３３】
次に、キャップＢをヒンジ部連結部３ｂの側端開口部に押込み、リング状の固定用リブ３２Ｂに係合させる。これにより、ヒンジ部連結部３ｂの内部が閉塞される。
【００３４】
このように、本実施の形態では、裏面側に呼出音を発するスピーカ音孔１１を有した携帯電話機本体１の表面側の複数のキースイッチ１４を覆うフリップ板２６をヒンジ部３を介して回動自在に支持するとともに、フリップ板２６が携帯電話機本体１の裏面側に回動したとき、裏面側との間に所定の隙間を有して位置決めし、スピーカ音孔１１を閉塞しないようにしたので、着信音圧の劣化を防止することができる。
【００３５】
また、フリップ板２６を回動支持するヒンジ部３が回動するとき、硬球保持部６３の硬球６４がヒンジ部３の中心軸上に設けられている凹部３１ａ又は３１ｂに嵌込むようにしたので、ヒンジ部３の回動位置の位置決めも行うことができる。これにより、たとえば硬球６４が凹部３１ａに嵌込むことで、キースイッチ１４を覆うフリップ板２６の閉じ位置が固定されるため、フリップ板２６が誤って開けられることも防止できる。
【００３６】
（第２の実施の形態）
図２５は、本発明の携帯電話機のフリップ装置の第２の実施の形態を示す斜視図、図２６は、図２５のヒンジ部を示す断面図、図２７〜図３０は、図２５の携帯電話機のフリップ板の動作を説明するための図である。
【００３７】
第２の実施の形態では、フリップ板を携帯電話機本体の長手方向に沿って回動させるようにしている。
【００３８】
すなわち、図２５に示すように、携帯電話機本体１９０の下端部側にヒンジ部３００が設けられている。ヒンジ部３００は、ヒンジ部保持部５００に連結されるヒンジ部連結部３１０及びフリップ板２００のフリップ固定部２１０を連結するフリップ連結部３２０とを備えている。ヒンジ部連結部３１０とフリップ連結部３２０は接続部３３０により接続されている。フリップ板２００には、後述する図２８に示すように、携帯電話機本体１９０の所定部位に係合されるフック８０が設けられている。
【００３９】
ヒンジ部連結部３１０の内部には、図２６に示すように、ヒンジ部連結部材６００のスプリング６４１によって外方向に付勢されている硬球６４０を嵌合するための第３〜第５の凹部としての略半球状の凹部３１０ａ，３１０ｂ，３１０ｃが設けられている。また、ヒンジ部連結部材６００は、ヒンジ部保持部５００側に固定されている。
【００４０】
フリップ連結部３２０の内部には、図２６に示すように、フリップ連結部材７００のスプリング７４１によって外方向に付勢されている硬球７４０を嵌合するための第６〜第８の凹部としての略半球状の凹部３２０ａ，３２０ｂ，３２０ｃが設けられている。また、フリップ連結部材７００は、フリップ固定部２１０側に固定されている。
【００４１】
このような構成では、フリップ板２００を閉じているとき、図２６のように、フリップ連結部材７００の硬球７４０が凹部３２０ａに嵌込む。また、ヒンジ部連結部材６００の硬球６４０が凹部３１０ａに嵌込む。これにより、フリップ板２００の閉じ位置での位置決めがなされる。
【００４２】
また、たとえば図２７に示すように、フリップ板２００を９０度強だけ開放すると、図２８に示すように、フリップ連結部材７００の硬球７４０が凹部３２０ｂに嵌込む。また、ヒンジ部連結部材６００の硬球６４０が凹部３１０ｂに嵌込む。これにより、フリップ板２００は、９０度強の位置に位置決めされる。この状態で、通話を行うことができる。
【００４３】
また、図２９に示すように、フリップ板２００を携帯電話機本体１９０の裏面側に回動させると、図３０に示すように、フリップ連結部材７００の硬球７４０が凹部３２０ｃに嵌込む。また、ヒンジ部連結部材６００の硬球６４０が凹部３１０ｃに嵌込む。これにより、フリップ板２００は、携帯電話機本体１９０の裏面側に位置決めされる。
【００４４】
このとき、図２９に示すように、フリップ板２００と携帯電話機本体１９０の裏面側との間に所定の隙間が形成されるため、携帯電話機本体１９０の裏面側に設けられている図示しないスピーカ音孔がフリップ板２００によって閉塞されないことから、音圧劣化が抑えられる。
【００４５】
このように、本実施の形態では、ヒンジ部連結部材６００の硬球６４０を凹部３１０ａ，３１０ｂ，３１０ｃの何れかに嵌込むとともに、フリップ連結部材７００の硬球７４０を凹部３２０ａ，３２０ｂ，３２０ｃの何れかに嵌込むようにすることで、フリップ板２００の回動位置を規制することができる。
【００４６】
【発明の効果】
以上の如く本発明に係るフリップ板を備えた携帯電話機及びフリップ板の開閉方法によれば、裏面側に呼出音を発するスピーカ音孔を有した携帯電話機本体の表面側の複数のキースイッチを覆うフリップ板をヒンジ部を介して回動自在に支持するとともに、フリップ板が携帯電話機本体の裏面側に回動したとき、裏面側との間に所定の隙間を有して位置決めし、スピーカ音孔を閉塞しないようにしたので、着信音圧の劣化を防止することができる。
【図面の簡単な説明】
【図１】  本発明の携帯電話機のフリップ装置の第１の実施の形態を示す斜視図である。
【図２】  図１の携帯電話機の裏面側を示す斜視図である。
【図３】  図１のフリップ板を開いた状態を示す斜視図である。
【図４】  図１のフリップ板を示す側面図である。
【図５】  図４のフリップ板を示す側面図である。
【図６】  図４のフリップ板を裏面側に移動させた状態を示す斜視図である。
【図７】  図６の携帯電話機の裏面側を示す斜視図である。
【図８】  図７の携帯電話機を示す図である。
【図９】  図１のフリップ板及びヒンジ部の詳細を示す図である。
【図１０】  図１のフリップ板及びヒンジ部の詳細を示す図である。
【図１１】  図１のフリップ板及びヒンジ部の詳細を示す図である。
【図１２】  図１のフリップ板及びヒンジ部の詳細を示す図である。
【図１３】  図４のヒンジ部の詳細を説明するための図である。
【図１４】  図４のヒンジ部の詳細を説明するための図である。
【図１５】  図４のヒンジ部の詳細を説明するための図である。
【図１６】  図４のヒンジ部の詳細を説明するための図である。
【図１７】  図１５のヒンジ部の詳細を説明するためのＡ−Ａ線断面図である。
【図１８】  図１５のヒンジ部連結部材を示す斜視図である。
【図１９】  図１８のヒンジ部連結部材を示す正面図である。
【図２０】  図１８のヒンジ部連結部材を示すＢ−Ｂ線断面図である。
【図２１】  図１８のヒンジ部連結部材を示す一部切欠き断面図である。
【図２２】  図１５のフリップ連結部材を示す斜視図である。
【図２３】  図２２のフリップ連結部材を示す側面図である。
【図２４】  図２２のフリップ連結部材を示す正面図である。
【図２５】  本発明の携帯電話機のフリップ装置の第２の実施の形態を示す斜視図である。
【図２６】  図２５のヒンジ部を示す断面図である。
【図２７】  図２５の携帯電話機のフリップ板の動作を説明するための図である。
【図２８】  図２５の携帯電話機のフリップ板の動作を説明するための図である。
【図２９】  図２５の携帯電話機のフリップ板の動作を説明するための図である。
【図３０】  図２５の携帯電話機のフリップ板の動作を説明するための図である。
【図３１】  図７の携帯電話機を示す図である。
【符号の説明】
１，１９０  携帯電話機本体
３，３００  ヒンジ部
３ａ，３２０  フリップ連結部
３ｂ，３１０  ヒンジ部連結部
３ｃ，３３０  接続部
５，５００  ヒンジ部保持部
６  回動連結部材
７，７００  フリップ連結部材
１１  スピーカ音孔
１２  マイク音孔
１３  受話用音孔
１４，１４０  キースイッチ
１５  表示部
１７  フック固定部
１７ａ  アンテナ
２１，２１０  フリップ固定部
２２  フリップ固定リブ
２４，８０  フック
２５，３４，３５，５２  貫通穴
２６，２００  フリップ板
３１ａ，３１ｂ，３１０ａ，３１０ｂ，３１０ｃ，３２０ａ，３２０ｂ，３２０ｃ  凹部
３２Ａ，３２Ｂ  固定用リブ
３３ａ  フリップ連結部の内部
３３ｂ  ヒンジ部連結部の内部
５１ａ，５１ｂ  ヒンジ部固定リブ
６１，７１，７３  抜け防止部
６２，７２  中空軸部
６３  硬球保持部
６４，６４０，７４０  硬球
６５，６４１，７４１  スプリング
６６  穴
６７，７４  スリット
６００  ヒンジ部連結部材
【図２】
0003655790.tif 000002
【図６】
0003655790.tif 000003
【図７】
0003655790.tif 000004
【図８】
0003655790.tif 000005
【図１０】
0003655790.tif 000006
【図１２】
0003655790.tif 000007
【図１８】
0003655790.tif 000008
【図１９】
0003655790.tif 000009
【図２０】
0003655790.tif 000010
【図２１】
0003655790.tif 000011
【図２２】
0003655790.tif 000012
【図２３】
0003655790.tif 000013
【図２４】
0003655790.tif 000014
【図２７】
0003655790.tif 000015
【図１】
0003655790.tif 000016
【図３】
0003655790.tif 000017
【図４】
0003655790.tif 000018
【図５】
0003655790.tif 000019
【図９】
0003655790.tif 000020
【図１１】
0003655790.tif 000021
【図１３】
0003655790.tif 000022
【図１４】
0003655790.tif 000023
【図１５】
0003655790.tif 000024
【図１６】
0003655790.tif 000025
【図１７】
0003655790.tif 000026
【図２５】
0003655790.tif 000027
【図２６】
0003655790.tif 000028
【図２８】
0003655790.tif 000029
【図２９】
0003655790.tif 000030
【図３０】
0003655790.tif 000031
【図３１】
0003655790.tif 000032